(57)【要約】【課題】反発係数を高めると同時に、軽量化を実現し得るゴルフクラブヘッドのフェース構造を提供する。【解決手段】ゴルフクラブヘッドのフェース構造であって、表層材と中間部材と裏層材とで構成され、該表層材と中間部材とが少なくとも所定幅の周縁部領域を含む所定領域において拡散接合により接合されると共に、該裏層材と中間部材とが少なくとも所定幅の周縁部領域を含む所定領域において拡散接合により接合されることで、該表層材及び裏層材と中間部材との接合領域と、該表層材及び裏層材と中間部材との非接合領域とが併存されて成る手段を採る。【選択図】図１
2020162895.tif 000002
【特許請求の範囲】
【請求項１】
ゴルフクラブヘッドのフェース構造であって、
表層材と中間部材と裏層材とで構成され、該表層材と中間部材とが少なくとも所定幅の周縁部領域を含む所定領域において拡散接合により接合されると共に、該裏層材と中間部材とが少なくとも所定幅の周縁部領域を含む所定領域において拡散接合により接合されることで、該表層材及び裏層材と中間部材との接合領域と、該表層材及び裏層材と中間部材との非接合領域とが併存されて成ることを特徴とするゴルフクラブヘッドのフェース構造。
【請求項２】
ゴルフクラブヘッドのフェース構造であって、
表層材と中間部材と裏層材とで構成され、該表層材と中間部材とが少なくとも所定幅の周縁部領域を含む所定領域において拡散接合により接合されると共に、該裏層材と中間部材とが少なくとも所定幅の周縁部領域を含む所定領域において拡散接合により接合されることで、該表層材及び裏層材と中間部材との接合領域と、該表層材及び裏層材のみから成り中間部材２２が存在しない非接合領域とが併存されて成ることを特徴とするゴルフクラブヘッドのフェース構造。
【請求項３】
前記請求項1または請求項２に記載のゴルフクラブヘッドのフェース構造を使用したウッド系ゴルフクラブヘッドであって、
前記ゴルフクラブヘッドのフェース構造における表層材の表面に必要に応じてフェースラインが溝切りされて成るフェース部と、クラウン部と、ソール部と、で構成されて成ることを特徴とするウッド系ゴルフクラブヘッド。
【請求項４】
前記請求項1または請求項２に記載のゴルフクラブヘッドのフェース構造を使用したアイアン系若しくはウェッジ系ゴルフクラブヘッドであって、
前記ゴルフクラブヘッドのフェース構造における表層材の表面にフェースラインが溝切りされると共に、裏層材が各番手に応じたソール幅を有する形状並びにウエイト材を備えて成ることを特徴とするアイアン系若しくはウェッジ系ゴルフクラブヘッド。
【請求項５】
前記請求項1または請求項２に記載のゴルフクラブヘッドのフェース構造を使用したパター系ゴルフクラブヘッドであって、
前記ゴルフクラブヘッドのフェース構造における表層材の表面に必要に応じてフェースラインが溝切りされると共に、裏層材が型式に応じた形状を備えて成ることを特徴とするパター系ゴルフクラブヘッド。
【発明の詳細な説明】
【技術分野】
【０００１】
本発明は、強度と反発係数を高めると同時に、軽量化を図るゴルフクラブヘッドのフェース構造に関する。
【背景技術】
【０００２】
ゴルフクラブは、その種類として、ドライバーやユーティリティと呼称されるウッド系クラブや、アイアン、ウェッジ、パターから構成される。これらゴルフクラブは、近年、品質や材料供給の安定性などの観点から、ステンレス鋼、アルミニウム合金、チタン合金などの金属材料で成形された金属製のヘッドを備えたものが広く提供されている。
【０００３】
ウッド系のゴルフクラブを例にとれば、そのクラブヘッドの多くは、クラウン部と、ソール部と、フェース部の三つのパーツに分かれて構成されるもので、ステンレス鋼やアルミニウム合金、チタン合金など金属材料により成形されている。これらの金属材料は、該金属材料の中でも比較的に比重が大きいために、ウッド系のゴルフクラブのヘッド用材料として使用された場合、該ヘッドの容量（大きさ）が、ルール上、一定以下に制限されていることから、制限ギリギリの大型ヘッドを製造しようとした場合に、重量が嵩んでしまって軽量化に困難をきたすと共に、材料選択が限定され、より高価な軽量金属材料を選択する必要が生じる、といった問題があった。
【０００４】
また、使用時（打球時）におけるゴルフクラブによるボールの打ち易さを向上させるためには、クラブヘッド自体の重心を通る全方位の慣性モーメントを大きくする必要があるが、従来より使用されているステンレス鋼やアルミニウム合金、チタン合金などによる金属材料では、上記の通り大型ヘッドの製造が困難であることから、クラブヘッド自体の慣性モーメントについても大きくさせることが困難である、といった問題もあった。
【０００５】
さらに、従来のゴルフクラブのヘッド用材料に使用されているステンレス鋼やアルミニウム合金、チタン合金などの金属材料は、材料自体の比重が大きいために、ヘッドの重心深度や重心高さに関するヘッド設計の自由度が低く、昨今の多様な機能を備えるクラブヘッドの設計を困難なものにしている。
【０００６】
そこで、上記した多様な問題を克服した上で、クラブヘッド自体の慣性モーメントならびにヘッド設計の自由度が高く、しかも、使用時（打球時）におけるボールに対する反発係数が高いゴルフクラブの金属製ヘッドの提供が望まれているものである。
【０００７】
上記のような問題点を解決すべく、従来、チタン及びチタン合金と非チタン材とを組み合せてなる複合ゴルフクラブヘッドにおいて、接合部のガタつきを防止する「ゴルフクラブヘッド」（特許文献１）が提案され、公知技術となっている。具体的には、ソール部に開口部を有するシェル形状のチタン又はチタン合金製ウッド用ゴルフクラブヘッド本体と、該開口部を塞ぐように設けられた、チタン又はチタン合金とは異なる材料よりなるソール部材とで構成されるウッド用ゴルフクラブヘッドであって該ソール部材はゴルフクラブヘッド本体を構成するチタン又はチタン合金の比重よりも３０％以上大きな比重の材料よりなり、該ソール部材は前記ゴルフクラブヘッド本体に溶接により固着一体化されているゴルフクラブヘッドの溶接手段の提案である。
【０００８】
しかしながら、かかる「ゴルフクラブヘッド」の提案は、従来のビス止めならびに溶接による接合手段を、拡散接合又は摩擦圧接により接合したに過ぎないものであって、衝撃により接合部が緩んだりガタついたりする心配はないものの、ゴルフクラブヘッドの耐衝撃性や耐久性、打撃性能及び使用感が特筆して良好となる様な提案ではなかった。
【０００９】
また、ゴルフクラブヘッド材料に異種金属材料を広い面積に亘って拡散接合することにより、打球感および打撃性能を向上させるとともにゴルフクラブヘッドの耐久性を増加させることができる「ゴルフクラブヘッド用拡散接合材料」（特許文献２）が提案され、公知技術となっている。具体的には、ゴルフクラブヘッドの本体と、該本体の材料と異なる一種または一種以上の金属材料とを備え、該金属材料および本体の相互の面間に、これらの面全体で均一に一体化するように圧延、ホットプレスまたはＨＩＰにより拡散接合させた接合界面を有し貼り合わせたものである。
【００１０】
しかしながら、かかる「ゴルフクラブヘッド用拡散接合材料」の提案は、特に金属材料および本体の相互の面間に空間が形成されていないことから、ゴルフクラブヘッドの強度は向上させ得るが、該ヘッドの反発係数を高めると同時に軽量化を図ることができない構造となっている。
【００１１】
さらに、大型で、軽量で、ヘッド自体の慣性モーメントが大きく、ヘッドの設計の自由度が大きく、しかも、打球時におけるボールに対する反発係数が大きいゴルフ・ウッドクラブ用金属製ヘッドを得る「ゴルフのウッドクラブ用金属製ヘッドおよびその製造方法ならびにこの金属製ヘッドを用いたゴルフのウッドクラブ」（特許文献３）が提案され、公知技術となっている。具体的には、ウッドクラブ用金属製ヘッドにおいて、上記フェース部がマルエージング鋼またはチタン合金で構成されるとともに、上記ソール部および上記クラウン部がそれぞれ、ベリリウムと  マグネシウム、ケイ素、ニッケル、銅、亜鉛、マンガンから成るグループから選ばれた少なくとも一種を含有するアルミニウム合金との複合材料、マグネシウム合金、およびアルミニウム合金の３種の材料から選ばれた少なくとも一種で構成されたものである。
【００１２】
しかしながら、かかる「ゴルフのウッドクラブ用金属製ヘッドおよびその製造方法ならびにこの金属製ヘッドを用いたゴルフのウッドクラブ」の提案は、特にクラウン部と、ソール部と、フェース部の接合部の厚みが各部を形成する厚みと同一であることから、接合強度において問題があるものであった。
【００１３】
本出願人は、金属同士を接合する拡散接合技術に着目し、材料に関係なく拡散接合技術を用いて構造的に上記各問題点を解消できないものかという着想の下、強度と反発係数を高めると同時に、軽量化を実現し得るゴルフクラブヘッドのフェース構造を開発し、本発明にかかる「ゴルフクラブヘッドのフェース構造」の提案に至るものである。
【先行技術文献】
【特許文献】
【００１４】
【特許文献１】特開平７−１６３６８７号公報
【特許文献２】特開平１１−５７０８４号公報
【特許文献３】特開２００１−３７９２４号公報
【発明の概要】
【発明が解決しようとする課題】
【００１５】
本発明は、上記問題点に鑑み、反発係数を高めると同時に、軽量化を実現し得るゴルフクラブヘッドのフェース構造を提供することを課題とするものである。
【課題を解決するための手段】
【００１６】
上記課題を解決するため、本発明は、ゴルフクラブヘッドのフェース構造であって、表層材と中間部材と裏層材とで構成され、該表層材と中間部材とが少なくとも所定幅の周縁部領域を含む所定領域において拡散接合により接合されると共に、該裏層材と中間部材とが少なくとも所定幅の周縁部領域を含む所定領域において拡散接合により接合されることで、該表層材及び裏層材と中間部材との接合領域と、該表層材及び裏層材と中間部材との非接合領域とが併存されて成る手段を採る。
【００１７】
また、本発明は、ゴルフクラブヘッドのフェース構造であって、表層材と中間部材と裏層材とで構成され、該表層材と中間部材とが少なくとも所定幅の周縁部領域を含む所定領域において拡散接合により接合されると共に、該裏層材と中間部材とが少なくとも所定幅の周縁部領域を含む所定領域において拡散接合により接合されることで、該表層材及び裏層材と中間部材との接合領域と、該表層材及び裏層材のみから成り中間部材が存在しない非接合領域が併存されて成る手段を採る。
【００１８】
さらに、本発明は、前記ゴルフクラブヘッドのフェース構造を使用したウッド系ゴルフクラブヘッドであって、前記ゴルフクラブヘッドのフェース構造における表層材の表面に必要に応じてフェースラインが溝切りされて成るフェース部と、クラウン部と、ソール部と、で構成されて成る手段を採る。
【００１９】
またさらに、本発明は、前記ゴルフクラブヘッドのフェース構造を使用したアイアン系若しくはウェッジ系ゴルフクラブヘッドであって、前記ゴルフクラブヘッドのフェース構造における表層材の表面にフェースラインが溝切りされると共に、裏層材が各番手に応じたソール幅を有する形状並びにウエイト材を備えて成る手段を採る。
【００２０】
さらにまた、本発明は、前記ゴルフクラブヘッドのフェース構造を使用したパター系ゴルフクラブヘッドであって、前記ゴルフクラブヘッドのフェース構造における表層材の表面に必要に応じてフェースラインが溝切りされると共に、裏層材が型式に応じた形状を備えて成る手段を採る。
【発明の効果】
【００２１】
本発明にかかるゴルフクラブヘッドのフェース構造によれば、ウッド系やアイアン系若しくはウェッジ系、パター系といったゴルフクラブのヘッド部分を構成するフェース部において、表層材と中間部材と裏層材とが所定領域で拡散接合によって接合されることにより、其々の特性（例えば、強度、反発係数、軽量、粘り）を持った表層材や中間部材、裏層材を使用することができると共に、所定範囲の非接合領域が存することとなるため、ゴルフクラブヘッドにおける強度と反発係数をより高めることができると共に、設計の自由度を向上し得る、といった優れた効果を奏する。
【００２２】
また、本発明にかかるゴルフクラブヘッドのフェース構造によれば、表層材及び裏層材と中間部材との非接合領域における該中間部材が存在しない態様を採用することで、中間部材が存在しない分だけゴルフクラブヘッドの軽量化が図られると共に、中間部材が存在しない箇所が中空構造となって当該箇所の撓み量が増大して反発係数を更に高めることができる、といった優れた効果を奏する。
【図面の簡単な説明】
【００２３】
【図１】本発明にかかるゴルフクラブヘッドのフェース構造の実施形態を示す説明図である。（実施例１）
【図２】本発明にかかるゴルフクラブヘッドのフェース構造の他の実施形態を示す説明図である。（実施例２）
【図３】本発明にかかるゴルフクラブヘッドのフェース構造の使用態様を示す説明図である。（実施例３）
【図４】本発明にかかるゴルフクラブヘッドのフェース構造の使用態様を示す説明図である。（実施例４）
【図５】本発明にかかるゴルフクラブヘッドのフェース構造の使用態様を示す説明図である。（実施例５）
【発明を実施するための形態】
【００２４】
本発明にかかるゴルフクラブヘッドのフェース構造は、表層材２０と中間部材２２と裏層材２１とで構成され、該表層材２０と中間部材２２とが少なくとも所定幅の周縁部領域を含む所定領域において拡散接合により接合されると共に、該裏層材２１と中間部材２２とが少なくとも所定幅の周縁部領域を含む所定領域において拡散接合により接合されることで、該表層材２０及び裏層材２１と中間部材２２との接合領域３０と、該表層材２０及び裏層材２１と中間部材２２との非接合領域３１とが併存されて成る手段を採ったことを最大の特徴とする。
以下、本発明にかかる本発明のゴルフクラブヘッドのフェース構造の実施形態について、図面に基づき説明する。
【００２５】
尚、本発明にかかるゴルフクラブヘッドのフェース構造は、以下に述べる実施例に限定されるものではなく、本発明の技術的思想の範囲内、すなわち同一の作用効果を発揮できる形状や寸法等の範囲内で、適宜変更することができる。
【実施例１】
【００２６】
図1は、本発明にかかるゴルフクラブヘッドのフェース構造の実施形態を示し、（ａ）は分解斜視図、（ｂ）は縦断面図である。
本発明にかかるゴルフクラブヘッドのフェース構造は、表層材２０と中間部材２２と裏層材２１とで構成され、該表層材２０及び裏層材２１と中間部材２２とが少なくとも所定幅の周縁部領域を含む所定領域において拡散接合により接合されることで、ゴルフクラブヘッドのフェース部１０を構成するものである。
【００２７】
拡散接合とは、金属板材料を面で密着させた状態で加熱して一体化する接合方法で、面と面の接合や材質の異なった薄板の積層接合、溶接では難しい材質の接合を可能にする手法である。
【００２８】
表層材２０と裏層材２１と中間部材２２とは、夫々金属材料から成り、該素材については金属であれば特に限定はないが、例えばアルミニュウム合金やマグネシウム合金、ステンレス鋼、マルエージング鋼、チタン合金など、各種特性を考慮して決定される。かかる表層材２０及び裏層材２１は、所定領域において拡散接合により中間部材２２に面接合されて成る。
【００２９】
表層材２０や裏層材２１、中間部材２２の夫々の厚みについては、強度や反発係数、重量、ゴルフクラブの種類などを考慮して適宜決定されるものであって、特に限定するものではない。例えば夫々が略０．３ｍｍの金属材料とした場合、それらを所定領域で接合しつつ重ね合わせることで、フェース部１０全体の厚みは略０．９ｍｍとなる。ウッド系ゴルフクラブヘッド１のフェース部１０として採用する場合は、このように均等厚みの重ね合わせで足りるが、アイアン系若しくはウェッジ系ゴルフクラブヘッド２やパター系ゴルフクラブヘッド３のフェース部１０として採用する場合は、表層材２０や中間部材２２より裏層材２１の厚さが増すことが想定される。
【００３０】
表層材２０と中間部材２２との接合領域３０は、面全体ではなく、所定領域のみ拡散接合される。かかる所定領域については、少なくとも表層材２０及び中間部材２２における所定幅（例えば５〜１０ｍｍ）の周縁部領域が含まれる。
また、裏層材２１と中間部材２２との接合領域３０についても、面全体ではなく、所定領域のみ拡散接合される。かかる所定領域については、少なくとも裏層材２１及び中間部材２２における所定幅（例えば５〜１０ｍｍ）の周縁部領域が含まれる。
かかる周縁部領域を必須の接合領域３０とする理由は、フェース部１０の外周に非接合による間隙が存しないようにするため、そして、他のパーツ（クラウン部１１やソール部１２）と接合する場合の接合強度を保つ為である。
【００３１】
表層材２０及び裏層材２１並びに中間部材２２における周縁部領域以外は、強度や反発係数などを考慮して、必要に応じて適宜接合領域３０が配される。尚、図１は表層材２０及び裏層材２１と中間部材２２の周縁部領域のみを拡散接合した場合を示している。
【００３２】
表層材２０と中間部材２２との接合領域３０と、裏層材２１と中間部材２２との接合領域３０について、夫々同じ形状領域で接合とすることが考え得るが、必ずしも同じ形状領域とする必要はなく、夫々違える形状領域にて接合することも可能である。例えば、表層材２０と中間部材２２との周縁部領域における接合領域３０の幅を１０ｍｍとし、裏層材２１と中間部材２２との周縁部領域における接合領域３０の幅を５ｍｍとすることも可能である。
また、周縁部領域以外については、一方のみを接合し他方を接合しない態様も可能である。例えば、表層材２０と中間部材２２のみを接合した接合領域３０の当該箇所について、裏層材２１と中間部材２２とは接合しない非接合領域３１にすることも可能である。
【００３３】
尚、接合領域３０とは、表層材２０と中間部材２２並びに裏層材２１と中間部材２２とが面接合される領域であって、かかる面接合により夫々の部材が結合して一体化した領域を言う。それ以外の接合されていない領域が非接合領域３１であって、表層材２０と裏層材２１と中間部材２２とが結合されず単に重なり合った状態で存している領域となる。
【００３４】
以上の通り構成される本発明にかかるゴルフクラブヘッドのフェース構造は、表層材２０と裏層材２１とが中間部材２２を介して接合領域３０と非接合領域３１が併存し、この非接合領域３１において各部材同士が結合されずに一体化されていないことから、外圧に対し隣接部材が夫々独立して摺動可能であり、これによりフェース部１０全体としての撓み量の増大を生むこととなる。よって、従来ゴルフクラブヘッドのフェース構造に比し、フェース部１０全体としての撓み量が増大することで、クラブヘッドとしての反発係数の向上に資することとなる。
【００３５】
尚、本発明にかかるゴルフクラブヘッドのフェース構造は、ドライバーやフェアウエーウッド、ユーテリティークラブ等のウッド系ゴルフクラブや、アイアン系若しくはウェッジ系ゴルフクラブ、パター系ゴルフクラブなどのゴルフクラブヘッドのフェース部１０として採用することが可能である。
【実施例２】
【００３６】
他の実施例について、図２を用いて説明する。実施例１と同様の部分は省略する。
図２は、本発明にかかるゴルフクラブヘッドのフェース構造の他の実施形態を示し、（ａ）は分解斜視図、（ｂ）は縦断面図である。
【００３７】
実施例１によって、表層材２０及び裏層材２１と中間部材２２との間で非接合領域３１が存することで、フェース部１０全体の撓み量を増大させ、クラブヘッドとしての反発係数の向上が実現される。
しかしながら、ゴルフクラブヘッドのフェース構造として、反発係数の向上につき更なる要求があると共に、クラブヘッドの軽量化に対する要求も多い。そこで、反発係数の更なる向上と併せて、軽量化を実現する技術が求められていた。
【００３８】
かかる反発係数の更なる向上を実現すべく、本実施例では、本発明にかかるゴルフクラブヘッドのフェース構造において、表層材２０及び裏層材２１と中間部材２２との接合領域３０と、該表層材２０及び裏層材２１のみから成り中間部材２２が存在しない非接合領域３１が併存されて成る手段を採る。
【００３９】
すなわち、表層材２０及び裏層材２１と中間部材２２について、夫々面全体を拡散接合するものではないことから、接合領域３０とは別に接合されていない非接合領域３１が存することとなる。この非接合領域３１における中間部材２２を取り除くことで、該非接合領域３１には表層材２０及び裏層材２１のみが存することとなり、この中間部材２２が存在しない表層材２０と裏層材２１で挟まれた部分に中空部２４が形成されることとなる。
【００４０】
以上の通り構成される本発明にかかるゴルフクラブヘッドのフェース構造は、この非接合領域３１における中間部材２２が取り除かれることで、該非接合領域３１には表層材２０及び裏層材２１のみが残存する。これにより、非接合領域３１における中間部材２２が存在しない表層材２０と裏層材２１で挟まれた部分に中空部２４が形成されることとなって、非接合領域３１に中間部材２２が存する場合に比し、撓み量の更なる増大を生むことになると共に、軽量化が図られる。よって、従来ゴルフクラブヘッドのフェース構造に比し、フェース部１０全体としての撓み量が増大することで、クラブヘッドとしての反発係数の向上に資すると共に、軽量化が実現されることとなる。
【実施例３】
【００４１】
本発明にかかるゴルフクラブヘッドのフェース構造について、実際にウッド系ゴルフクラブヘッド１のフェース部１０として採用した場合の使用形態を、図３に基づき説明する。
図３は、本発明にかかるゴルフクラブヘッドのフェース構造から成るフェース部１０を、ウッド系ゴルフクラブヘッド１に採用した場合の実施形態を示しており、（ａ）は分解斜視図、（ｂ）は縦断面図である。
【００４２】
本発明にかかるウッド系ゴルフクラブヘッド１は、既述のゴルフクラブヘッドのフェース構造から成るフェース部１０をウッド系ゴルフクラブヘッド１に採用したもので、表層材２０の表面に必要に応じてフェースライン４０が溝切りされて成るフェース部１０と、クラウン部１１と、ソール部１２と、で構成されている。
【００４３】
ウッド系ゴルフクラブヘッド１におけるフェースライン４０（スコアラインとも言う）の役割は、雨の日にボールが滑って右に出たり、スピン量が不安定になったりするのを防ぐことを目的とするものである。最近のウッド系ゴルフクラブヘッド１は、フェース部１０の反発性能を上げるためにギリギリまで薄く作られてくるようになっており、そこにフェースライン４０を入れると強度が足りなくなって割れてしまうこともある。したがって、本発明では、フェース部１０の強度等を考慮しつつ、必要に応じて表層材２０の表面にフェースライン４０が溝切りされる。
【００４４】
以上の通り構成される本発明にかかるウッド系ゴルフクラブヘッド１は、フェース部１０として既述の本発明にかかるゴルフクラブヘッドのフェース構造を採用することで、従来ウッド系ゴルフクラブヘッドに比し、フェース部１０全体としての撓み量が増大すると共に、反発係数の向上に資し、さらに軽量化の実現にも資することとなる。
【実施例４】
【００４５】
本発明にかかるゴルフクラブヘッドのフェース構造について、実際にアイアン系若しくはウェッジ系ゴルフクラブヘッド２のフェース部１０として採用した場合の使用形態を、図４に基づき説明する。
図４は、本発明にかかるゴルフクラブヘッドのフェース構造から成るフェース部１０を、アイアン系若しくはウェッジ系ゴルフクラブヘッド２に採用した場合の実施形態を示しており、（ａ）は分解斜視図、（ｂ）は縦断面図である。
【００４６】
本発明にかかるアイアン系若しくはウェッジ系ゴルフクラブヘッド２は、既述のゴルフクラブヘッドのフェース構造から成るフェース部１０をアイアン系若しくはウェッジ系ゴルフクラブヘッド２に採用したもので、表層材２０の表面にフェースライン４０が溝切りされると共に、裏層材２２が各番手に応じたソール幅５０を有する形状並びにウエイト材５１を備えた構成となっている。
【００４７】
アイアン系若しくはウェッジ系ゴルフクラブヘッド２におけるフェースライン４０の役割については、ウッド系ゴルフクラブヘッド１と同様、雨の日にボールが滑って右に出たり、スピン量が不安定になったりするのを防ぐことを目的とするものである。但し、ウッド系ゴルフクラブヘッド１と異なり、アイアン系若しくはウェッジ系ゴルフクラブヘッド２におけるスピンコントロールは重要な要素であり、フェースライン４０が存しないアイアン系若しくはウェッジ系ゴルフクラブヘッド２は考えられないことから、表層材２０の表面にフェースライン４０が溝切りされる態様は必須構成要件となる。
【００４８】
裏層材２２は、アイアン及びウェッジの各番手に応じたソール幅５０を有する形状に成形されている。かかるソール幅５０とは、クラブヘッドにおけるソール部分の幅（フェースの向きに対し直行方向の長さ・厚み）であり、特にウェッジ系のクラブヘッドにおいて幅広となる傾向にある。かかるソール幅５０は、アイアン系若しくはウェッジ系ゴルフクラブにとって、クラブヘッドの重心やクラブコントロールに影響する重要な要素である。本発明では、ソール幅５０の具体的形状について特に限定するものではなく、クラブの仕様により適宜決定されれば足りる。
【００４９】
ウエイト材５１は、クラブヘッドの重量調整のために備えられるもので、前記ソール幅５０とも関連するものであり、各番手に応じたウエイト材５１が裏層材２２に備えられる。該ウエイト材５１は、「スイングウェイト」とも呼ばれ、クラブセットを正しく重量管理するための一つの目安となる。すなわち、もともとスイングウェイトは、パターを除いた長いクラブから短いクラブまで同じフィーリング（ヘッドの効き具合）でスイングできるように一つの目安として考えられたもので、正しく重量が調整されたクラブセットは、クラブの長さが短くなるにつれて重くなるようにセッティングされている。これは「重量フロー」などと呼ばれ、スイングウェイトのバランスが悪いと、クラブを変えた時に打感がバラバラになってしまう。本発明では、このスイングウェイトを考慮しつつ、ウエイト材５１が各番手に応じて適宜備えられる。
【００５０】
以上の通り構成される本発明にかかるアイアン系若しくはウェッジ系ゴルフクラブヘッド２は、フェース部１０として既述の本発明にかかるゴルフクラブヘッドのフェース構造を採用することで、従来アイアン系若しくはウェッジ系ゴルフクラブヘッドに比し、フェース部１０全体としての撓み量が増大すると共に、反発係数の向上に資し、さらに軽量化の実現にも資することとなる。
【実施例５】
【００５１】
本発明にかかるゴルフクラブヘッドのフェース構造について、実際にパター系ゴルフクラブヘッド３のフェース部１０として採用した場合の使用形態を、図５に基づき説明する。
図５は、本発明にかかるゴルフクラブヘッドのフェース構造から成るフェース部１０を、パター系ゴルフクラブヘッド３に採用した場合の実施形態を示しており、（ａ）は分解斜視図、（ｂ）は縦断面図である。
【００５２】
本発明にかかるパター系ゴルフクラブヘッド３は、既述のゴルフクラブヘッドのフェース構造から成るフェース部１０をパター系ゴルフクラブヘッド３に採用したもので、表層材２０の表面に必要に応じてフェースライン４０が溝切りされると共に、裏層材２２が型式に応じた形状を備えた構成となっている。
【００５３】
パター系ゴルフクラブヘッド３におけるフェースライン４０（スコアラインとも言う）の役割について、雨の日にボールが滑って右に出たり、スピン量が不安定になったりするのを防ぐことを目的とするものであることは、既述のとおりである。本発明では、主にグリーン上にてパッティングのために使用するパター系ゴルフクラブヘッド３であることに鑑み、必要に応じて表層材２０の表面にフェースライン４０が溝切りされる。
【００５４】
裏層材２２は、パター系ゴルフクラブヘッド３の型式に応じた形状に成形されている。パター系ゴルフクラブヘッド３には、主にピン型やＬ字型、Ｔ字型、マレット型など、種々の型式が存在する。本発明では、これらの型式に応じて、裏層材２２の形状が適宜成形されることとなる。
【００５５】
以上の通り構成される本発明にかかるパター系ゴルフクラブヘッド３は、フェース部１０として既述の本発明にかかるゴルフクラブヘッドのフェース構造を採用することで、従来パター系ゴルフクラブヘッドに比し、フェース部１０全体としての撓み量が増大すると共に、反発係数の向上に資し、さらに軽量化の実現にも資することとなる。
【産業上の利用可能性】
【００５６】
本発明は、ゴルフクラブヘッドにおけるフェース構造について、表層材と裏層材と中間部材との所定領域における拡散接合手段を採用し、これにより接合領域と非接合領域を併存させることによって、従来ゴルフクラブヘッドに比し、フェース部全体としての撓み量が増大すると共に、反発係数の向上に資し、さらに軽量化の実現にも資するもので、ウッド系やアイアン系、ウェッジ系、パター系といったあらゆる種類のゴルフクラブヘッドに採用可能であることから、本発明にかかる「ゴルフクラブヘッドのフェース構造」の産業上の利用可能性は極めて大であるものと思料する。
【符号の説明】
【００５７】
１    ウッド系ゴルフクラブヘッド
２    アイアン系若しくはウェッジ系ゴルフクラブヘッド
３    パター系ゴルフクラブヘッド
１０    フェース部
１１    クラウン部
１２    ソール部
２０    表層材
２１    裏層材
２２    中間部材
２４    中空部
３０    接合領域
３１    非接合領域
４０    フェースライン
５０    ソール幅
５１    ウエイト材
【図１】
2020162895.tif 000003
【図２】
2020162895.tif 000004
【図３】
2020162895.tif 000005
【図４】
2020162895.tif 000006
【図５】
2020162895.tif 000007
【手続補正書】
【提出日】令和1年10月10日(2019.10.10)
【手続補正１】
【補正対象書類名】特許請求の範囲
【補正対象項目名】請求項１
【補正方法】変更
【補正の内容】
【請求項１】
ゴルフクラブヘッドのフェース構造であって、
表層材と中間部材と裏層材とで構成され、該表層材と中間部材とが少なくとも所定幅の周縁部領域を含む所定領域において拡散接合により接合されると共に、該裏層材と中間部材とが少なくとも所定幅の周縁部領域を含む所定領域において拡散接合により接合され、該表層材と中間部材が拡散接合される接合領域と、該裏層材と中間部材が拡散接合される接合領域とが、夫々違える形状領域にて接合されて成り、該表層材及び裏層材と中間部材との接合領域と、該表層材及び裏層材と中間部材との非接合領域とが併存されて成ることを特徴とするゴルフクラブヘッドのフェース構造。
【手続補正２】
【補正対象書類名】特許請求の範囲
【補正対象項目名】請求項２
【補正方法】変更
【補正の内容】
【請求項２】
ゴルフクラブヘッドのフェース構造であって、
表層材と中間部材と裏層材とで構成され、該表層材と中間部材とが少なくとも所定幅の周縁部領域を含む所定領域において拡散接合により接合されると共に、該裏層材と中間部材とが少なくとも所定幅の周縁部領域を含む所定領域において拡散接合により接合され、該表層材と中間部材が拡散接合される接合領域と、該裏層材と中間部材が拡散接合される接合領域とが、夫々違える形状領域にて接合されて成り、該表層材及び裏層材と中間部材との接合領域と、該表層材及び裏層材のみから成り中間部材２２が存在しない非接合領域とが併存されて成ることを特徴とするゴルフクラブヘッドのフェース構造。
【手続補正３】
【補正対象書類名】明細書
【補正対象項目名】００１６
【補正方法】変更
【補正の内容】
【００１６】
上記課題を解決するため、本発明は、ゴルフクラブヘッドのフェース構造であって、表層材と中間部材と裏層材とで構成され、該表層材と中間部材とが少なくとも所定幅の周縁部領域を含む所定領域において拡散接合により接合されると共に、該裏層材と中間部材とが少なくとも所定幅の周縁部領域を含む所定領域において拡散接合により接合され、該表層材と中間部材が拡散接合される接合領域と、該裏層材と中間部材が拡散接合される接合領域とが、夫々違える形状領域にて接合されて成り、該表層材及び裏層材と中間部材との接合領域と、該表層材及び裏層材と中間部材との非接合領域とが併存されて成る手段を採る。
【手続補正４】
【補正対象書類名】明細書
【補正対象項目名】００１７
【補正方法】変更
【補正の内容】
【００１７】
また、本発明は、ゴルフクラブヘッドのフェース構造であって、表層材と中間部材と裏層材とで構成され、該表層材と中間部材とが少なくとも所定幅の周縁部領域を含む所定領域において拡散接合により接合されると共に、該裏層材と中間部材とが少なくとも所定幅の周縁部領域を含む所定領域において拡散接合により接合され、該表層材と中間部材が拡散接合される接合領域と、該裏層材と中間部材が拡散接合される接合領域とが、夫々違える形状領域にて接合されて成り、該表層材及び裏層材と中間部材との接合領域と、該表層材及び裏層材のみから成り中間部材が存在しない非接合領域が併存されて成る手段を採る
【手続補正５】
【補正対象書類名】明細書
【補正対象項目名】００３２
【補正方法】変更
【補正の内容】
【００３２】
表層材２０と中間部材２２との接合領域３０と、裏層材２１と中間部材２２との接合領域３０について、同じ形状領域ではなく、夫々違える形状領域にて接合する態様を採る。例えば、表層材２０と中間部材２２との周縁部領域における接合領域３０の幅を１０ｍｍとし、裏層材２１と中間部材２２との周縁部領域における接合領域３０の幅を５ｍｍとすることが可能である。
また、周縁部領域以外については、一方のみを接合し他方を接合しない態様も可能である。例えば、表層材２０と中間部材２２のみを接合した接合領域３０の当該箇所について、裏層材２１と中間部材２２とは接合しない非接合領域３１にすることも可能である。
【手続補正書】
【提出日】令和2年2月10日(2020.2.10)
【手続補正１】
【補正対象書類名】特許請求の範囲
【補正対象項目名】全文
【補正方法】変更
【補正の内容】
【特許請求の範囲】
【請求項１】
ゴルフクラブヘッドのフェース構造であって、
表層材と中間部材と裏層材とで構成され、該表層材と中間部材とが少なくとも所定幅の周縁部領域を含む所定領域において拡散接合により接合されると共に、該裏層材と中間部材とが少なくとも所定幅の周縁部領域を含む所定領域において拡散接合により接合され、該表層材と中間部材が拡散接合される接合領域と、該裏層材と中間部材が拡散接合される接合領域とが、夫々違える形状領域にて接合されて成り、該表層材及び裏層材と中間部材との接合領域と、該表層材及び裏層材と中間部材との非接合領域とが併存されて成ることを特徴とするゴルフクラブヘッドのフェース構造。
【請求項２】
前記請求項1に記載のゴルフクラブヘッドのフェース構造を使用したウッド系ゴルフクラブヘッドであって、
前記ゴルフクラブヘッドのフェース構造における表層材の表面に必要に応じてフェースラインが溝切りされて成るフェース部と、クラウン部と、ソール部と、で構成されて成ることを特徴とするウッド系ゴルフクラブヘッド。
【請求項３】
前記請求項1に記載のゴルフクラブヘッドのフェース構造を使用したアイアン系若しくはウェッジ系ゴルフクラブヘッドであって、
前記ゴルフクラブヘッドのフェース構造における表層材の表面にフェースラインが溝切りされると共に、裏層材が各番手に応じたソール幅を有する形状並びにウエイト材を備えて成ることを特徴とするアイアン系若しくはウェッジ系ゴルフクラブヘッド。
【請求項４】
前記請求項1に記載のゴルフクラブヘッドのフェース構造を使用したパター系ゴルフクラブヘッドであって、
前記ゴルフクラブヘッドのフェース構造における表層材の表面に必要に応じてフェースラインが溝切りされると共に、裏層材が型式に応じた形状を備えて成ることを特徴とするパター系ゴルフクラブヘッド。
【手続補正２】
【補正対象書類名】明細書
【補正対象項目名】全文
【補正方法】変更
【補正の内容】
【発明の詳細な説明】
【技術分野】
【０００１】
本発明は、強度と反発係数を高めると同時に、軽量化を図るゴルフクラブヘッドのフェース構造に関する。
【背景技術】
【０００２】
ゴルフクラブは、その種類として、ドライバーやユーティリティと呼称されるウッド系クラブや、アイアン、ウェッジ、パターから構成される。これらゴルフクラブは、近年、品質や材料供給の安定性などの観点から、ステンレス鋼、アルミニウム合金、チタン合金などの金属材料で成形された金属製のヘッドを備えたものが広く提供されている。
【０００３】
ウッド系のゴルフクラブを例にとれば、そのクラブヘッドの多くは、クラウン部と、ソール部と、フェース部の三つのパーツに分かれて構成されるもので、ステンレス鋼やアルミニウム合金、チタン合金など金属材料により成形されている。これらの金属材料は、該金属材料の中でも比較的に比重が大きいために、ウッド系のゴルフクラブのヘッド用材料として使用された場合、該ヘッドの容量（大きさ）が、ルール上、一定以下に制限されていることから、制限ギリギリの大型ヘッドを製造しようとした場合に、重量が嵩んでしまって軽量化に困難をきたすと共に、材料選択が限定され、より高価な軽量金属材料を選択する必要が生じる、といった問題があった。
【０００４】
また、使用時（打球時）におけるゴルフクラブによるボールの打ち易さを向上させるためには、クラブヘッド自体の重心を通る全方位の慣性モーメントを大きくする必要があるが、従来より使用されているステンレス鋼やアルミニウム合金、チタン合金などによる金属材料では、上記の通り大型ヘッドの製造が困難であることから、クラブヘッド自体の慣性モーメントについても大きくさせることが困難である、といった問題もあった。
【０００５】
さらに、従来のゴルフクラブのヘッド用材料に使用されているステンレス鋼やアルミニウム合金、チタン合金などの金属材料は、材料自体の比重が大きいために、ヘッドの重心深度や重心高さに関するヘッド設計の自由度が低く、昨今の多様な機能を備えるクラブヘッドの設計を困難なものにしている。
【０００６】
そこで、上記した多様な問題を克服した上で、クラブヘッド自体の慣性モーメントならびにヘッド設計の自由度が高く、しかも、使用時（打球時）におけるボールに対する反発係数が高いゴルフクラブの金属製ヘッドの提供が望まれているものである。
【０００７】
上記のような問題点を解決すべく、従来、チタン及びチタン合金と非チタン材とを組み合せてなる複合ゴルフクラブヘッドにおいて、接合部のガタつきを防止する「ゴルフクラブヘッド」（特許文献１）が提案され、公知技術となっている。具体的には、ソール部に開口部を有するシェル形状のチタン又はチタン合金製ウッド用ゴルフクラブヘッド本体と、該開口部を塞ぐように設けられた、チタン又はチタン合金とは異なる材料よりなるソール部材とで構成されるウッド用ゴルフクラブヘッドであって該ソール部材はゴルフクラブヘッド本体を構成するチタン又はチタン合金の比重よりも３０％以上大きな比重の材料よりなり、該ソール部材は前記ゴルフクラブヘッド本体に溶接により固着一体化されているゴルフクラブヘッドの溶接手段の提案である。
【０００８】
しかしながら、かかる「ゴルフクラブヘッド」の提案は、従来のビス止めならびに溶接による接合手段を、拡散接合又は摩擦圧接により接合したに過ぎないものであって、衝撃により接合部が緩んだりガタついたりする心配はないものの、ゴルフクラブヘッドの耐衝撃性や耐久性、打撃性能及び使用感が特筆して良好となる様な提案ではなかった。
【０００９】
また、ゴルフクラブヘッド材料に異種金属材料を広い面積に亘って拡散接合することにより、打球感および打撃性能を向上させるとともにゴルフクラブヘッドの耐久性を増加させることができる「ゴルフクラブヘッド用拡散接合材料」（特許文献２）が提案され、公知技術となっている。具体的には、ゴルフクラブヘッドの本体と、該本体の材料と異なる一種または一種以上の金属材料とを備え、該金属材料および本体の相互の面間に、これらの面全体で均一に一体化するように圧延、ホットプレスまたはＨＩＰにより拡散接合させた接合界面を有し貼り合わせたものである。
【００１０】
しかしながら、かかる「ゴルフクラブヘッド用拡散接合材料」の提案は、特に金属材料および本体の相互の面間に空間が形成されていないことから、ゴルフクラブヘッドの強度は向上させ得るが、該ヘッドの反発係数を高めると同時に軽量化を図ることができない構造となっている。
【００１１】
さらに、大型で、軽量で、ヘッド自体の慣性モーメントが大きく、ヘッドの設計の自由度が大きく、しかも、打球時におけるボールに対する反発係数が大きいゴルフ・ウッドクラブ用金属製ヘッドを得る「ゴルフのウッドクラブ用金属製ヘッドおよびその製造方法ならびにこの金属製ヘッドを用いたゴルフのウッドクラブ」（特許文献３）が提案され、公知技術となっている。具体的には、ウッドクラブ用金属製ヘッドにおいて、上記フェース部がマルエージング鋼またはチタン合金で構成されるとともに、上記ソール部および上記クラウン部がそれぞれ、ベリリウムと  マグネシウム、ケイ素、ニッケル、銅、亜鉛、マンガンから成るグループから選ばれた少なくとも一種を含有するアルミニウム合金との複合材料、マグネシウム合金、およびアルミニウム合金の３種の材料から選ばれた少なくとも一種で構成されたものである。
【００１２】
しかしながら、かかる「ゴルフのウッドクラブ用金属製ヘッドおよびその製造方法ならびにこの金属製ヘッドを用いたゴルフのウッドクラブ」の提案は、特にクラウン部と、ソール部と、フェース部の接合部の厚みが各部を形成する厚みと同一であることから、接合強度において問題があるものであった。
【００１３】
本出願人は、金属同士を接合する拡散接合技術に着目し、材料に関係なく拡散接合技術を用いて構造的に上記各問題点を解消できないものかという着想の下、強度と反発係数を高めると同時に、軽量化を実現し得るゴルフクラブヘッドのフェース構造を開発し、本発明にかかる「ゴルフクラブヘッドのフェース構造」の提案に至るものである。
【先行技術文献】
【特許文献】
【００１４】
【特許文献１】特開平７−１６３６８７号公報
【特許文献２】特開平１１−５７０８４号公報
【特許文献３】特開２００１−３７９２４号公報
【発明の概要】
【発明が解決しようとする課題】
【００１５】
本発明は、上記問題点に鑑み、反発係数を高めると同時に、軽量化を実現し得るゴルフクラブヘッドのフェース構造を提供することを課題とするものである。
【課題を解決するための手段】
【００１６】
上記課題を解決するため、本発明は、ゴルフクラブヘッドのフェース構造であって、表層材と中間部材と裏層材とで構成され、該表層材と中間部材とが少なくとも所定幅の周縁部領域を含む所定領域において拡散接合により接合されると共に、該裏層材と中間部材とが少なくとも所定幅の周縁部領域を含む所定領域において拡散接合により接合され、該表層材と中間部材が拡散接合される接合領域と、該裏層材と中間部材が拡散接合される接合領域とが、夫々違える形状領域にて接合されて成り、該表層材及び裏層材と中間部材との接合領域と、該表層材及び裏層材と中間部材との非接合領域とが併存されて成る手段を採る。
【００１７】
さらに、本発明は、前記ゴルフクラブヘッドのフェース構造を使用したウッド系ゴルフクラブヘッドであって、前記ゴルフクラブヘッドのフェース構造における表層材の表面に必要に応じてフェースラインが溝切りされて成るフェース部と、クラウン部と、ソール部と、で構成されて成る手段を採る。
【００１８】
またさらに、本発明は、前記ゴルフクラブヘッドのフェース構造を使用したアイアン系若しくはウェッジ系ゴルフクラブヘッドであって、前記ゴルフクラブヘッドのフェース構造における表層材の表面にフェースラインが溝切りされると共に、裏層材が各番手に応じたソール幅を有する形状並びにウエイト材を備えて成る手段を採る。
【００１９】
さらにまた、本発明は、前記ゴルフクラブヘッドのフェース構造を使用したパター系ゴルフクラブヘッドであって、前記ゴルフクラブヘッドのフェース構造における表層材の表面に必要に応じてフェースラインが溝切りされると共に、裏層材が型式に応じた形状を備えて成る手段を採る。
【発明の効果】
【００２０】
本発明にかかるゴルフクラブヘッドのフェース構造によれば、ウッド系やアイアン系若しくはウェッジ系、パター系といったゴルフクラブのヘッド部分を構成するフェース部において、表層材と中間部材と裏層材とが所定領域で拡散接合によって接合されることにより、其々の特性（例えば、強度、反発係数、軽量、粘り）を持った表層材や中間部材、裏層材を使用することができると共に、所定範囲の非接合領域が存することとなるため、ゴルフクラブヘッドにおける強度と反発係数をより高めることができると共に、設計の自由度を向上し得る、といった優れた効果を奏する。
【００２１】
また、本発明にかかるゴルフクラブヘッドのフェース構造によれば、表層材及び裏層材と中間部材との非接合領域における該中間部材が存在しない態様を採用することで、中間部材が存在しない分だけゴルフクラブヘッドの軽量化が図られると共に、中間部材が存在しない箇所が中空構造となって当該箇所の撓み量が増大して反発係数を更に高めることができる、といった優れた効果を奏する。
【図面の簡単な説明】
【００２２】
【図１】本発明にかかるゴルフクラブヘッドのフェース構造の実施形態を示す説明図である。（実施例１）
【図２】本発明にかかるゴルフクラブヘッドのフェース構造の使用態様を示す説明図である。（実施例２）
【図３】本発明にかかるゴルフクラブヘッドのフェース構造の使用態様を示す説明図である。（実施例３）
【図４】本発明にかかるゴルフクラブヘッドのフェース構造の使用態様を示す説明図である。（実施例４）
【発明を実施するための形態】
【００２３】
本発明にかかるゴルフクラブヘッドのフェース構造は、表層材２０と中間部材２２と裏層材２１とで構成され、該表層材２０と中間部材２２とが少なくとも所定幅の周縁部領域を含む所定領域において拡散接合により接合されると共に、該裏層材２１と中間部材２２とが少なくとも所定幅の周縁部領域を含む所定領域において拡散接合により接合されることで、該表層材２０及び裏層材２１と中間部材２２との接合領域３０と、該表層材２０及び裏層材２１と中間部材２２との非接合領域３１とが併存されて成る手段を採ったことを最大の特徴とする。
以下、本発明にかかる本発明のゴルフクラブヘッドのフェース構造の実施形態について、図面に基づき説明する。
【００２４】
尚、本発明にかかるゴルフクラブヘッドのフェース構造は、以下に述べる実施例に限定されるものではなく、本発明の技術的思想の範囲内、すなわち同一の作用効果を発揮できる形状や寸法等の範囲内で、適宜変更することができる。
【実施例１】
【００２５】
図1は、本発明にかかるゴルフクラブヘッドのフェース構造の実施形態を示し、（ａ）は分解斜視図、（ｂ）は縦断面図である。
本発明にかかるゴルフクラブヘッドのフェース構造は、表層材２０と中間部材２２と裏層材２１とで構成され、該表層材２０及び裏層材２１と中間部材２２とが少なくとも所定幅の周縁部領域を含む所定領域において拡散接合により接合されることで、ゴルフクラブヘッドのフェース部１０を構成するものである。
【００２６】
拡散接合とは、金属板材料を面で密着させた状態で加熱して一体化する接合方法で、面と面の接合や材質の異なった薄板の積層接合、溶接では難しい材質の接合を可能にする手法である。
【００２７】
表層材２０と裏層材２１と中間部材２２とは、夫々金属材料から成り、該素材については金属であれば特に限定はないが、例えばアルミニュウム合金やマグネシウム合金、ステンレス鋼、マルエージング鋼、チタン合金など、各種特性を考慮して決定される。かかる表層材２０及び裏層材２１は、所定領域において拡散接合により中間部材２２に面接合されて成る。
【００２８】
表層材２０や裏層材２１、中間部材２２の夫々の厚みについては、強度や反発係数、重量、ゴルフクラブの種類などを考慮して適宜決定されるものであって、特に限定するものではない。例えば夫々が略０．３ｍｍの金属材料とした場合、それらを所定領域で接合しつつ重ね合わせることで、フェース部１０全体の厚みは略０．９ｍｍとなる。ウッド系ゴルフクラブヘッド１のフェース部１０として採用する場合は、このように均等厚みの重ね合わせで足りるが、アイアン系若しくはウェッジ系ゴルフクラブヘッド２やパター系ゴルフクラブヘッド３のフェース部１０として採用する場合は、表層材２０や中間部材２２より裏層材２１の厚さが増すことが想定される。
【００２９】
表層材２０と中間部材２２との接合領域３０は、面全体ではなく、所定領域のみ拡散接合される。かかる所定領域については、少なくとも表層材２０及び中間部材２２における所定幅（例えば５〜１０ｍｍ）の周縁部領域が含まれる。
また、裏層材２１と中間部材２２との接合領域３０についても、面全体ではなく、所定領域のみ拡散接合される。かかる所定領域については、少なくとも裏層材２１及び中間部材２２における所定幅（例えば５〜１０ｍｍ）の周縁部領域が含まれる。
かかる周縁部領域を必須の接合領域３０とする理由は、フェース部１０の外周に非接合による間隙が存しないようにするため、そして、他のパーツ（クラウン部１１やソール部１２）と接合する場合の接合強度を保つ為である。
【００３０】
表層材２０及び裏層材２１並びに中間部材２２における周縁部領域以外は、強度や反発係数などを考慮して、必要に応じて適宜接合領域３０が配される。尚、図１は表層材２０及び裏層材２１と中間部材２２の周縁部領域のみを拡散接合した場合を示している。
【００３１】
表層材２０と中間部材２２との接合領域３０と、裏層材２１と中間部材２２との接合領域３０について、同じ形状領域ではなく、夫々違える形状領域にて接合する態様を採る。例えば、表層材２０と中間部材２２との周縁部領域における接合領域３０の幅を１０ｍｍとし、裏層材２１と中間部材２２との周縁部領域における接合領域３０の幅を５ｍｍとすることが可能である。
また、周縁部領域以外については、一方のみを接合し他方を接合しない態様も可能である。例えば、表層材２０と中間部材２２のみを接合した接合領域３０の当該箇所について、裏層材２１と中間部材２２とは接合しない非接合領域３１にすることも可能である。
【００３２】
尚、接合領域３０とは、表層材２０と中間部材２２並びに裏層材２１と中間部材２２とが面接合される領域であって、かかる面接合により夫々の部材が結合して一体化した領域を言う。それ以外の接合されていない領域が非接合領域３１であって、表層材２０と裏層材２１と中間部材２２とが結合されず単に重なり合った状態で存している領域となる。
【００３３】
以上の通り構成される本発明にかかるゴルフクラブヘッドのフェース構造は、表層材２０と裏層材２１とが中間部材２２を介して接合領域３０と非接合領域３１が併存し、この非接合領域３１において各部材同士が結合されずに一体化されていないことから、外圧に対し隣接部材が夫々独立して摺動可能であり、これによりフェース部１０全体としての撓み量の増大を生むこととなる。よって、従来ゴルフクラブヘッドのフェース構造に比し、フェース部１０全体としての撓み量が増大することで、クラブヘッドとしての反発係数の向上に資することとなる。
【００３４】
尚、本発明にかかるゴルフクラブヘッドのフェース構造は、ドライバーやフェアウエーウッド、ユーテリティークラブ等のウッド系ゴルフクラブや、アイアン系若しくはウェッジ系ゴルフクラブ、パター系ゴルフクラブなどのゴルフクラブヘッドのフェース部１０として採用することが可能である。
【実施例２】
【００３５】
本発明にかかるゴルフクラブヘッドのフェース構造について、実際にウッド系ゴルフクラブヘッド１のフェース部１０として採用した場合の使用形態を、図２に基づき説明する。
図２は、本発明にかかるゴルフクラブヘッドのフェース構造から成るフェース部１０を、ウッド系ゴルフクラブヘッド１に採用した場合の実施形態を示しており、（ａ）は分解斜視図、（ｂ）は縦断面図である。
【００３６】
本発明にかかるウッド系ゴルフクラブヘッド１は、既述のゴルフクラブヘッドのフェース構造から成るフェース部１０をウッド系ゴルフクラブヘッド１に採用したもので、表層材２０の表面に必要に応じてフェースライン４０が溝切りされて成るフェース部１０と、クラウン部１１と、ソール部１２と、で構成されている。
【００３７】
ウッド系ゴルフクラブヘッド１におけるフェースライン４０（スコアラインとも言う）の役割は、雨の日にボールが滑って右に出たり、スピン量が不安定になったりするのを防ぐことを目的とするものである。最近のウッド系ゴルフクラブヘッド１は、フェース部１０の反発性能を上げるためにギリギリまで薄く作られてくるようになっており、そこにフェースライン４０を入れると強度が足りなくなって割れてしまうこともある。したがって、本発明では、フェース部１０の強度等を考慮しつつ、必要に応じて表層材２０の表面にフェースライン４０が溝切りされる。
【００３８】
以上の通り構成される本発明にかかるウッド系ゴルフクラブヘッド１は、フェース部１０として既述の本発明にかかるゴルフクラブヘッドのフェース構造を採用することで、従来ウッド系ゴルフクラブヘッドに比し、フェース部１０全体としての撓み量が増大すると共に、反発係数の向上に資し、さらに軽量化の実現にも資することとなる。
【実施例３】
【００３９】
本発明にかかるゴルフクラブヘッドのフェース構造について、実際にアイアン系若しくはウェッジ系ゴルフクラブヘッド２のフェース部１０として採用した場合の使用形態を、図３に基づき説明する。
図３は、本発明にかかるゴルフクラブヘッドのフェース構造から成るフェース部１０を、アイアン系若しくはウェッジ系ゴルフクラブヘッド２に採用した場合の実施形態を示しており、（ａ）は分解斜視図、（ｂ）は縦断面図である。
【００４０】
本発明にかかるアイアン系若しくはウェッジ系ゴルフクラブヘッド２は、既述のゴルフクラブヘッドのフェース構造から成るフェース部１０をアイアン系若しくはウェッジ系ゴルフクラブヘッド２に採用したもので、表層材２０の表面にフェースライン４０が溝切りされると共に、裏層材２２が各番手に応じたソール幅５０を有する形状並びにウエイト材５１を備えた構成となっている。
【００４１】
アイアン系若しくはウェッジ系ゴルフクラブヘッド２におけるフェースライン４０の役割については、ウッド系ゴルフクラブヘッド１と同様、雨の日にボールが滑って右に出たり、スピン量が不安定になったりするのを防ぐことを目的とするものである。但し、ウッド系ゴルフクラブヘッド１と異なり、アイアン系若しくはウェッジ系ゴルフクラブヘッド２におけるスピンコントロールは重要な要素であり、フェースライン４０が存しないアイアン系若しくはウェッジ系ゴルフクラブヘッド２は考えられないことから、表層材２０の表面にフェースライン４０が溝切りされる態様は必須構成要件となる。
【００４２】
裏層材２２は、アイアン及びウェッジの各番手に応じたソール幅５０を有する形状に成形されている。かかるソール幅５０とは、クラブヘッドにおけるソール部分の幅（フェースの向きに対し直行方向の長さ・厚み）であり、特にウェッジ系のクラブヘッドにおいて幅広となる傾向にある。かかるソール幅５０は、アイアン系若しくはウェッジ系ゴルフクラブにとって、クラブヘッドの重心やクラブコントロールに影響する重要な要素である。本発明では、ソール幅５０の具体的形状について特に限定するものではなく、クラブの仕様により適宜決定されれば足りる。
【００４３】
ウエイト材５１は、クラブヘッドの重量調整のために備えられるもので、前記ソール幅５０とも関連するものであり、各番手に応じたウエイト材５１が裏層材２２に備えられる。該ウエイト材５１は、「スイングウェイト」とも呼ばれ、クラブセットを正しく重量管理するための一つの目安となる。すなわち、もともとスイングウェイトは、パターを除いた長いクラブから短いクラブまで同じフィーリング（ヘッドの効き具合）でスイングできるように一つの目安として考えられたもので、正しく重量が調整されたクラブセットは、クラブの長さが短くなるにつれて重くなるようにセッティングされている。これは「重量フロー」などと呼ばれ、スイングウェイトのバランスが悪いと、クラブを変えた時に打感がバラバラになってしまう。本発明では、このスイングウェイトを考慮しつつ、ウエイト材５１が各番手に応じて適宜備えられる。
【００４４】
以上の通り構成される本発明にかかるアイアン系若しくはウェッジ系ゴルフクラブヘッド２は、フェース部１０として既述の本発明にかかるゴルフクラブヘッドのフェース構造を採用することで、従来アイアン系若しくはウェッジ系ゴルフクラブヘッドに比し、フェース部１０全体としての撓み量が増大すると共に、反発係数の向上に資し、さらに軽量化の実現にも資することとなる。
【実施例４】
【００４５】
本発明にかかるゴルフクラブヘッドのフェース構造について、実際にパター系ゴルフクラブヘッド３のフェース部１０として採用した場合の使用形態を、図４に基づき説明する。
図４は、本発明にかかるゴルフクラブヘッドのフェース構造から成るフェース部１０を、パター系ゴルフクラブヘッド３に採用した場合の実施形態を示しており、（ａ）は分解斜視図、（ｂ）は縦断面図である。
【００４６】
本発明にかかるパター系ゴルフクラブヘッド３は、既述のゴルフクラブヘッドのフェース構造から成るフェース部１０をパター系ゴルフクラブヘッド３に採用したもので、表層材２０の表面に必要に応じてフェースライン４０が溝切りされると共に、裏層材２２が型式に応じた形状を備えた構成となっている。
【００４７】
パター系ゴルフクラブヘッド３におけるフェースライン４０（スコアラインとも言う）の役割について、雨の日にボールが滑って右に出たり、スピン量が不安定になったりするのを防ぐことを目的とするものであることは、既述のとおりである。本発明では、主にグリーン上にてパッティングのために使用するパター系ゴルフクラブヘッド３であることに鑑み、必要に応じて表層材２０の表面にフェースライン４０が溝切りされる。
【００４８】
裏層材２２は、パター系ゴルフクラブヘッド３の型式に応じた形状に成形されている。パター系ゴルフクラブヘッド３には、主にピン型やＬ字型、Ｔ字型、マレット型など、種々の型式が存在する。本発明では、これらの型式に応じて、裏層材２２の形状が適宜成形されることとなる。
【００４９】
以上の通り構成される本発明にかかるパター系ゴルフクラブヘッド３は、フェース部１０として既述の本発明にかかるゴルフクラブヘッドのフェース構造を採用することで、従来パター系ゴルフクラブヘッドに比し、フェース部１０全体としての撓み量が増大すると共に、反発係数の向上に資し、さらに軽量化の実現にも資することとなる。
【産業上の利用可能性】
【００５０】
本発明は、ゴルフクラブヘッドにおけるフェース構造について、表層材と裏層材と中間部材との所定領域における拡散接合手段を採用し、これにより接合領域と非接合領域を併存させることによって、従来ゴルフクラブヘッドに比し、フェース部全体としての撓み量が増大すると共に、反発係数の向上に資し、さらに軽量化の実現にも資するもので、ウッド系やアイアン系、ウェッジ系、パター系といったあらゆる種類のゴルフクラブヘッドに採用可能であることから、本発明にかかる「ゴルフクラブヘッドのフェース構造」の産業上の利用可能性は極めて大であるものと思料する。
【符号の説明】
【００５１】
１    ウッド系ゴルフクラブヘッド
２    アイアン系若しくはウェッジ系ゴルフクラブヘッド
３    パター系ゴルフクラブヘッド
１０    フェース部
１１    クラウン部
１２    ソール部
２０    表層材
２１    裏層材
２２    中間部材
３０    接合領域
３１    非接合領域
４０    フェースライン
５０    ソール幅
５１    ウエイト材
【手続補正３】
【補正対象書類名】図面
【補正対象項目名】全図
【補正方法】変更
【補正の内容】
【図１】
2020162895.tif 000008
【図２】
2020162895.tif 000009
【図３】
2020162895.tif 000010
【図４】
2020162895.tif 000011